(57)【要約】【課題】データの誤送信の防止を効率的に行うことが可能なデータ通信装置を提供することを目的とする。【解決手段】本発明のデータ通信装置は、操作表示装置と、操作表示装置の表示を制御する表示制御部とを有し、操作表示装置に、表示制御部によりデータの送信先を示す送信先情報（ＦＡＸ番号）と、送信先情報に対応した地図情報とを表示させることにより、データの送信先をよりイメージしやすくする。【選択図】図３
2009005314.tif 000002
【特許請求の範囲】
【請求項１】
入力された送信先情報が表示される表示手段を有し、前記表示手段に表示された送信先情報が示す送信先へデータを送信するデータ通信装置において、
前記送信先情報と、前記送信先情報と対応付けられた地図情報とが格納されたデータベースと、
前記送信先情報に基づき、前記送信先情報と対応付けられた地図情報を取得する地図情報取得手段と、
前記表示手段に、前記送信先情報と、前記地図情報と、前記送信先へのデータの送信を決定させる決定指示手段とを表示させる表示制御手段とを有することを特徴とするデータ通信装置。
【請求項２】
当該データ通信装置は、ネットワークを介して地図情報が格納された外部装置と接続されており、
前記地図情報取得手段は、前記外部装置からネットワークを介して前記地図情報を取得することを特徴とする請求項１記載のデータ通信装置。
【請求項３】
前記データベースには、前記送信先情報と対応付けられた送信先の属性を示す属性情報が格納されており、
前記地図情報取得手段は、前記送信先情報に基づき、前記地図情報及び前記属性情報とを取得し、
前記表示制御手段は、前記表示手段に、前記送信先情報と、前記地図情報と、前記属性情報と、前記送信先へのデータの送信を決定させる決定指示手段とを表示させることを特徴とする請求項１又は２記載のデータ通信装置。
【請求項４】
前記送信先情報と前記地図情報とは関連情報に基づき関連付けられており、
前記関連情報に基づき取得された前記地図情報と、前記送信先情報とを対応付けて前記データベースへ格納する情報格納手段を有することを特徴とする請求項１ないし３の何れか一項に記載のデータ通信装置。
【請求項５】
ネットワークを介して外部装置と接続されており、入力された送信先情報が示す送信先へデータを送信するデータ通信装置であって、
前記送信先情報が表示される表示手段と、
前記外部装置において、前記送信先情報に基づき前記送信先情報と一致する情報を検索する検索手段と、
前記情報を取得する一致情報取得手段と、
前記表示手段における表示の制御を行う表示制御手段を有し、
前記検索手段による検索において前記送信先情報と一致する情報が存在するとき、
前記一致情報取得手段は、前記情報を取得し、
前記表示制御手段は、前記送信先情報と、前記送信先情報と一致する情報が存在したことを示す情報と、前記送信先へのデータの送信を決定させる決定指示手段とを表示させることを特徴とするデータ通信装置。
【発明の詳細な説明】
【技術分野】
【０００１】
本発明は、入力された送信先へデータを送信するデータ通信装置に関する。
【背景技術】
【０００２】
例えばファクシミリ装置のように、入力された送信先へデータを送信するデータ通信装置では、送信先の入力ミスなどによりデータの誤送信する場合がある。近年のデータ通信装置では、機密情報を送信する際における機密保持等を目的としてデータの誤送信を防止する工夫が成されている。
【０００３】
特許文献１には、ＦＡＸ番号を入力したことに応動して通信先の名称等を読み出して表示する表示部を有し、通信先の名称等が表示されるまでは、主制御部はデータの送信を禁止するデータ通信装置、データ通信システム及び誤送信防止方法が記載されている。
【特許文献１】特開２０００−１８４００７号公報
【発明の開示】
【発明が解決しようとする課題】
【０００４】
しかしながら特許文献１記載の発明では、送信者が送信先をイメージしにくく、送信者自身が誤送信したことに気づきにくい。
【０００５】
本発明は上記問題点を鑑みて、これを解決すべく成されたものであり、データの誤送信の防止を効率的に行うことが可能なデータ通信装置を提供することを目的とするものである。
【課題を解決するための手段】
【０００６】
本発明は、上記目的を達成するために、以下の如き構成を採用した。
【０００７】
本発明は、入力された送信先情報が表示される表示手段を有し、前記表示手段に表示された送信先情報が示す送信先へデータを送信するデータ通信装置において、前記送信先情報と、前記送信先情報と対応付けられた地図情報とが格納されたデータベースと、前記送信先情報に基づき、前記送信先情報と対応付けられた地図情報を取得する地図情報取得手段と、前記表示手段に、前記送信先情報と、前記地図情報と、前記送信先へのデータの送信を決定させる決定指示手段とを表示させる表示制御手段とを有する構成とした。
【０００８】
係る構成によれば、データの誤送信の防止を効率的に行うことができる。
【０００９】
また当該データ通信装置は、ネットワークを介して地図情報が格納された外部装置と接続されており、前記地図情報取得手段は、前記外部装置からネットワークを介して前記地図情報を取得する構成としても良い。
【００１０】
また前記データベースには、前記送信先情報と対応付けられた送信先の属性を示す属性情報が格納されており、前記地図情報取得手段は、前記送信先情報に基づき、前記地図情報及び前記属性情報とを取得し、前記表示制御手段は、前記表示手段に、前記送信先情報と、前記地図情報と、前記属性情報と、前記送信先へのデータの送信を決定させる決定指示手段とを表示させる構成としても良い。
【００１１】
前記送信先情報と前記地図情報とは関連情報に基づき関連付けられており、前記関連情報に基づき取得された前記地図情報と、前記送信先情報とを対応付けて前記データベースへ格納する情報格納手段を有する構成としても良い。
【００１２】
本発明は、ネットワークを介して外部装置と接続されており、入力された送信先情報が示す送信先へデータを送信するデータ通信装置であって、前記送信先情報が表示される表示手段と、前記外部装置において、前記送信先情報に基づき前記送信先情報と一致する情報を検索する検索手段と、前記情報を取得する一致情報取得手段と、前記表示手段における表示の制御を行う表示制御手段を有し、前記検索手段による検索において前記送信先情報と一致する情報が存在するとき、前記一致情報取得手段は、前記情報を取得し、前記表示制御手段は、前記送信先情報と、前記送信先情報と一致する情報が存在したことを示す情報と、前記送信先へのデータの送信を決定させる決定指示手段とを表示させる構成とした。
【００１３】
係る構成によれば、データの誤送信の防止を効率的に行うことができる。
【発明の効果】
【００１４】
本発明によれば、データの誤送信の防止を効率的に行うデータ通信装置を提供することができる。
【発明を実施するための最良の形態】
【００１５】
本発明のデータ通信装置は、表示手段に、データの送信先を示す送信先情報及び送信先情報に対応した地図情報を表示させることにより、データの送信先をよりイメージしやすくする。
【００１６】
本発明のデータ通信装置は、例えばコピー機能、スキャン機能、ＦＡＸ送信機能などを有する複合機により実現されても良いし、ＦＡＸ機能のみを有するファクシミリ装置により実現されても良い。
【００１７】
図１は、本発明のデータ通信装置１００のハードウェア構成図の一例を示す図である。データ通信装置１００は、それぞれバスＢで相互に接続されている入力装置１１、出力装置１２、操作表示装置１３、メモリ装置１４、演算処理装置（以下、ＣＰＵ）１５、モデム装置１６、回線制御インターフェース（以下、Ｉ／Ｆ）装置１７、インターネットＩ／Ｆ１８、ドライブ装置１９とで構成される。
【００１８】
入力装置１１は、データ通信装置１００から送信されるデータが入力される装置である。入力装置１１は、例えば送信原稿を読み取るスキャナとスキャナを制御するスキャナ制御部などである。またデータ通信装置１００が外部装置と接続されている場合、入力装置１１は外部装置から入力されるデータを取得するための装置である。出力装置１２は、データ通信装置１００からデータを出力するための装置であり、例えばデータを印刷するプロッタとプロッタ制御部などにより構成されていても良い。
【００１９】
操作表示装置１３は、データ通信装置１００の操作およびその結果等を表示するものである。操作表示装置１３は、例えばタッチパネルなどにより実現され、データ通信装置１００を操作するソフトウェアキーが操作部として表示されていてもよい。メモリ装置１４はデータ通信装置１００の動作に必要な各種パラ−メータ及び本発明で用いるデータベース（ＤＢ）を保持している。ＣＰＵ１５はこのデータ通信装置１００の動作を制御している。
【００２０】
モデム装置１５は、入力装置１１により入力されたデータをファクシミリ信号に変換するものであり、回線制御Ｉ／Ｆ装置１８を通してＰＳＴＮ（Public Switched Telephone Network）などのアナログ網と接続している。インターネットＩ／Ｆ装置１８はＬＡＮ（Local Area Network）を介してインターネットと接続している。
【００２１】
本発明のデータ通信装置１００では、ＣＰＵ１５がデータ通信プログラムを実行することにより、各機能を実現する。データ通信プログラムは、データ通信装置１００を制御する各種プログラムの少なくとも一部である。データ通信プログラムは例えば記録媒体２０の配布やネットワーク（インターネット）からのダウンロードなどによって提供されても良い。データ通信プログラムを記録した記録媒体２０は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００２２】
また、データ通信プログラムを記録した記録媒体２０がドライブ装置１９にセットされると、データ通信プログラムは記録媒体２０からドライブ装置１９を介してメモリ装置１４にインストールされる。データ通信装置１００は、インストールされたデータ通信プログラムを格納すると共に、必要なファイル、データ等を格納する。ＣＰＵ１５は、メモリ装置１４に格納されたデータ通信プログラムに従って、後述するような各部の処理を実現している。
（第一の実施形態）
以下に図面を参照して本発明の第一の実施形態について接続する。
【００２３】
図２は第一実施形態のデータ通信装置１００の機能構成を説明する図である。データ通信装置１００は、ネットワーク２００を介して外部装置３００と接続されている。
【００２４】
データ通信装置１００は、データベース１１０、表示制御部１２０、入力情報取得部１３０、検索部１４０、地図情報取得部１５０、送信制御部１５５、情報格納部１６０、画像処理部１７０とを有する。
【００２５】
データベース１１０には、ファクシミリ番号１１１（以下、ＦＡＸ番号）、地図情報１１２、属性情報１１３とが対応付けられて格納されている。
【００２６】
ＦＡＸ番号１１１は、データの送信先を示す送信先情報である。地図情報１１２は、送信先の位置を表示する。属性情報１１３は、送信先の属性を示す。本実施形態の属性情報１１３は、例えば送信先の相手の顔写真などである顔情報、送信先の住所、氏名、電話番号、郵便番号などである。データベース１１０に格納されている情報は、データ通信装置１００の管理者などにより予め格納されているものとした。
【００２７】
表示制御部１２０は、操作表示装置１３における表示の制御を行う。入力情報取得部１３０は、操作表示装置１３により入力された情報を取得する。検索部１４０は、入力情報取得部１３０が取得した情報に基づきデータベース１１０または外部装置３００において地図情報の検索を行う。地図情報取得部１５０は、検索部１４０により検索された地図情報を取得する。送信制御部１５５は、データ通信装置１００からのデータの送信を制御する。情報格納部１６０は、データベース１１０へ地図情報を格納する。画像処理部１７０は、地図情報取得部１５０が取得した地図情報に後述する画像処理を施す。
【００２８】
尚本実施形態の地図情報取得部１５０は、検索部１４０の検索結果に基づき、データベース１１０から地図情報読み出して取得しても良いし、外部装置３００から地図情報をダウンロードして取得しても良い。
【００２９】
以下に図３を参照して本実施形態のデータ通信装置１００の動作を説明する。図３は、第一の実施形態のデータ通信装置１００の動作を説明する第一のフローチャートである。図３に示す例では、ＦＡＸ番号１１１と対応した地図情報がデータベース１１０から取得される場合を説明する。
【００３０】
データ通信装置１００は、入力装置１１により送信されるデータが入力されるとステップＳ３０１へ進み、ＦＡＸ番号１１１が入力されたか否かを判断する。ステップＳ３０１において、ＦＡＸ番号１１１が入力されていない場合、ステップＳ３０１を繰り返す。
【００３１】
ステップＳ３０１においてＦＡＸ番号１１１が入力された場合、入力情報取得部１３０はこのＦＡＸ番号１１１を取得し、ステップＳ３０２へ進む。ステップＳ３０２において表示制御部１２０は、取得されたＦＡＸ番号１１１を操作表示装置１３に表示させる。ステップＳ３０２に続いてステップＳ３０３へ進み、検索部１４０は、検索を開始させるスタートキーによる検索開始指示とＦＡＸ番号１１１の両方が入力されているか否か判断する。ステップＳ３０３において、ＦＡＸ番号１１１が入力されており、かつスタートキーによる検索開始指示が入力された場合、検索部１４０はステップＳ３０４へ進み、入力情報取得部１３０により取得されてＦＡＸ番号１１１を検索キーとしてデータベース１１０内を検索する。ステップＳ３０３においてＦＡＸ番号１１１が入力されていない場合、ステップＳ３０２へ戻る。
【００３２】
ステップＳ３０４で検索処理が実行されるとステップＳ３０５へ進み、検索部１４０の検索処理の結果、該当する地図情報１１２が存在しない場合、ステップＳ３０６へ進む。ステップＳ３０６において表示制御部１２０は、操作表示装置１３に該当する地図情報１１２が存在しない旨を示すメッセージを表示し、後述するステップＳ３０８へ進む。
【００３３】
ステップＳ３０５において該当する地図情報１１２が存在する場合、ステップＳ３０７へ進み、地図情報取得部１５０はデータベース１１０から該当する地図情報１１２を取得する。地図情報取得部１５０による地図情報の取得処理の詳細は後述する。表示制御部１２０は、地図情報１１２を操作表示装置１３に表示する。
【００３４】
尚地図情報１１２は、入力情報取得部１３０が取得したＦＡＸ番号１１１と共に表示されても良い。また表示制御部１２０は、このときステップＳ３０１で入力されたＦＡＸ番号１１１へのデータの送信を決定する送信指示を決定する送信指示ボタンを操作表示装置１３に表示させる。
【００３５】
ここで図４に、ＦＡＸ番号、地図情報、送信指示ボタンとが操作表示装置１３に表示された例を示す。図４に示すように、操作表示装置１３には、入力された送信先情報であるＦＡＸ番号１１１、地図情報取得部１５０により取得された地図情報１１２、送信指示ボタン４３とが表示されている。ここで表示制御部１２０は、送信者に対するメッセージが表示されるメッセージ欄４４を設け、送信者に対し、表示されたＦＡＸ番号４１を送信先情報としてデータを送信するか否かを問いかけるメッセージを表示しても良い。尚ステップＳ３０６で表示される該当する地図情報が存在しない旨を示すメッセージは、メッセージ欄４４に表示されても良い。この場合地図情報１１２が表示される領域は空欄、または「データなし」などと表示されても良い。
【００３６】
図３に戻って、ステップＳ３０７において地図情報１１２が表示されるとステップＳ３０８へ進み、送信制御部１５５は、送信指示ボタン４３により送信指示がなされたか否かを判断する。送信制御部１５５は、ステップＳ３０８において送信指示がなされると、ステップＳ３０９へ進み、データを送信してＦＡＸ送信処理を終了する。
【００３７】
このように本実施形態のデータ通信装置１００では、入力されたＦＡＸ番号１１１に対応した地図情報１１２を取得して表示させる。よって送信者は、ＦＡＸ送信時に、表示された地図情報１１２をみて送信先となる相手を空間的に把握できる。よって本実施形態によれば、送信者が送信先をイメージしやすくすることができ、データの誤送信の防止を効率的に行うことができる。
【００３８】
次に図５を参照して本実施形態のデータ通信装置１００の別の動作を説明する。図５は、第一の実施形態のデータ通信装置１００の動作を説明する第二のフローチャートである。図５では、ネットワークを介して外部装置３００から地図情報を取得する場合を説明する。
【００３９】
図５のステップＳ５０１からステップＳ５０３までの処理は、図３のステップＳ３０１からステップＳ３０３までの処理と同様である。
【００４０】
ステップＳ５０３において、スタートキーにより検索開始指示が入力されると、ステップＳ５０４へ進み、データ通信装置１００はインターネットＩ／Ｆ装置１８によりネットワーク２００を介して外部装置３００と接続される。ステップＳ５０４に続いてステップＳ５０５へ進みデータ通信装置１００が外部装置３００と接続されると、検索部１４０は、外部装置３００においてＦＡＸ番号１１１を検索キーとして、ＦＡＸ番号１１１に対応する地図情報１１２の検索処理を実行する。ステップＳ５０６からステップＳ５１０までの処理は、ステップＳ３０５からステップＳ３０９までの処理と同様である。
【００４１】
このように本実施形態のデータベース１００では、ネットワーク２００を介して外部装置３００から地図情報を取得することもできる。
【００４２】
次に図６を参照して本実施形態のデータ通信装置１００の別の動作を説明する。図６は、第一の実施形態のデータ通信装置１００の動作を説明する第三のフローチャートである。図６に示す例では、データ通信装置１００は、データベース１１０内に該当する地図情報が存在しない場合に、ネットワーク２００を介して外部装置３００を検索する。
【００４３】
図６のステップＳ６０１からステップＳ６０５の処理は図３のステップＳ３０１からステップＳ３０５の処理と同様であり、ステップＳ６０６、ステップＳ６０７の処理は、ステップＳ３０７、ステップＳ３０８の処理と同様である。
【００４４】
ステップＳ６０５において、データベース１１０に該当する地図情報１１２が存在しない場合、ステップＳ６０９進み、データ通信装置１００はネットワーク２００を介して外部装置３００と接続される。ステップＳ６０９からステップＳ６１２の処理は、図５のステップＳ５０４からステップＳ５０７の処理と同様である。ステップＳ６１２において、該当する地図情報１１２が存在しない旨を示すメッセージが操作表示装置１３に表示されると、（Ｂ）進み、ステップＳ６０７以降の処理が実行される。またステップＳ６１１において、外部装置３００に該当する地図情報が存在する場合、図５の（Ａ）に進み、ステップＳ５０８以降の処理が実行される。
【００４５】
このように本実施形態によれば、データベース１１０内に該当する地図情報が存在しない場合には、外部装置３００から地図情報を取得することができる。
【００４６】
次に図７を参照して本実施形態のデータ通信装置１００の別の動作を説明する。図７は、第一の実施形態のデータ通信装置１００の動作を説明する第四のフローチャートである。図７に示す例では、ＦＡＸ番号１１１と対応した地図情報１１２と、属性情報１１３とがデータベース１１０から取得される場合を説明する。
【００４７】
図７のステップＳ７０１からステップＳ７０３までの処理は、図３のステップＳ３０１からステップＳ３０３までの処理と同様である。
【００４８】
ステップＳ７０４へ進み、検索部１４０はＦＡＸ番号１１１を検索キーとしてデータベース１１０内を検索し、ＦＡＸ番号１１１に対応した地図情報１１２と属性情報１１３とを検索する。
【００４９】
ステップＳ７０５へ進み、検索部１４０の検索処理の結果該当する地図情報１１２が存在しない場合、ステップＳ７０６へ進む。
【００５０】
ステップＳ７０５において該当する地図情報１１２が存在する場合、ステップＳ７０７へ進み、地図情報取得部１５０はデータベース１１０から該当する地図情報１１２と該当する属性情報１１３とを取得する。表示制御部１２０は、ステップＳ７０１で入力されたＦＡＸ番号１１１と地図情報１１２と属性情報１１３とを操作表示装置１３に表示する。また表示制御部１２０は、このときＦＡＸ番号１１１へのデータの送信を決定する送信指示を決定する送信指示ボタンを操作表示装置１３に表示させる。
【００５１】
ここで図８に、ＦＡＸ番号、地図情報、属性情報、送信指示ボタンとが操作表示装置１３に表示された例を示す。図８に示すように、操作表示装置１３には、入力された送信先情報であるＦＡＸ番号１１１、地図情報取得部１５０により取得された地図情報１１２、属性情報１１３、送信指示ボタン４３とが表示されている。ステップＳ７０６からステップＳ７０９までの処理は、図３のステップＳ３０６からステップＳ３０９までの処理と同様である。
【００５２】
このように本実施形態のデータ通信装置１００によれば、入力されたＦＡＸ番号１１１に対応した地図情報１１２をと属性情報１１３と取得して表示させる。よって送信者は、ＦＡＸ送信時に表示された地図情報１１２をみて送信先となる相手を空間的に把握できる。また送信者は、送信先の属性情報１１３を見て送信先となる相手をより明確にイメージすることができる。よって本実施形態によれば、送信者が送信先をイメージしやすくすることができ、データの誤送信の防止を効率的に行うことができる。
【００５３】
次に図９を参照して本実施形態のデータ通信装置１００の別の動作を説明する。図９は、第一の実施形態のデータ通信装置１００の動作を説明する第五のフローチャートである。図９に示す例では、ＦＡＸ番号１１１に含まれる地域情報に対応した地図を一度表示したのち、ＦＡＸ番号１１１に対応した地図情報１１２を取得する。本実施形態では、ＦＡＸ番号１１１に含まれる市街局番を地域情報とした。
【００５４】
図９のステップＳ９０１とステップＳ９０２は、図３のステップＳ３０１とステップＳ３０２と同様である。
【００５５】
ステップＳ９０２に続いてステップＳ９０３へ進み、検出部１４０は、ＦＡＸ番号１１１に含まれる市街局番を検索キーとして、データベース１１０内を検索する。ここで本実施形態のデータベース１１０には、市街局番と、市街局番の示す地域とが対応付けられた地域テーブル５０が格納されているものとした。図１０に、地域テーブル５０の例を示す。地域テーブル５０では、市街局番が０３であった場合には対応する地域は「東京」となり、市街局番が「０４５」であった場合には対応する地域は「横浜」といった具合に、市街局番と地域とが対応付けられている。
【００５６】
ステップＳ９０３に続いてステップＳ９０４へ進み、検索部１４０により市街局番に対応する地域が検索できた場合、ステップＳ９０５へ進む。ステップＳ９０５において地図情報取得部１５０は、検索結果に対応した地域の地図情報を取得する。表示制御部１２０は、取得された地域の地図情報を操作表示装置１３に表示させる。ステップＳ９０４において、検索部１４０により市街局番に対応する地域が検索できなかった場合、後述するステップＳ９０６へ進む。
【００５７】
ここで本実施形態では、データベース１１０内に検索された地域に対応する地図情報が存在しない場合に、ネットワーク２００を介して外部装置３００から地域の地図情報を取得しても良い。
【００５８】
ステップＳ９０５に続いてステップＳ９０６へ進み、検索部１４０は、スタートキーによりＦＡＸ番号１１１を検索キーとする検索開始指示とＦＡＸ番号１１１の両方が入力されているか否か判断する。ステップＳ９０６においてＦＡＸ番号１１１が入力されており、且つスタートキーによる検索開始指示が入力された場合、検索部１４０はＦＡＸ番号１１１を検索キーとしてデータベース１１０内を検索する。
【００５９】
ステップＳ９０６以降の処理は、図３のステップＳ３０３以降の処理と同様である。
【００６０】
このように本実施形態では、ＦＡＸ番号１１１に対応する地図情報を表示する前に、送信先の位置する地域の地図を表示させることができる。よって送信者に、早い段階で誤送信を気づかせることができる。またＦＡＸ送信時に、より明確に送信先となる相手を空間的に把握できる。
【００６１】
次に図１１を参照して本実施形態のデータ通信装置１００の別の動作を説明する。図１１は、第一の実施形態のデータ通信装置１００の動作を説明する第六のフローチャートである。図１１に示す例では、操作表示装置１３に地図情報１１２が表示された後に地図情報１１２を拡大表示又は縮小表示する場合を示す。
【００６２】
ここで本実施形態のデータ通信装置１００の有する画像処理部１７０について説明する。画像処理部１７０は、拡大処理部１７１、縮小処理部１７２とを有する。
【００６３】
拡大処理部１７１は、操作表示装置１３に表示された地図情報の拡大処理を実行する。縮小処理部１７２は、操作表示装置１３に表示された地図情報の縮小処理を実行する。
【００６４】
ステップＳ１１０１において操作表示装置１３に地図情報１１２が表示されるとステップＳ１１０２へ進み、画像処理部１７０は、地図情報１１２の拡大表示指示がなさたれか否かを判断する。尚本実施形態では、操作表示装置１３において地図情報１１２の拡大表示または縮小表示を選択させる操作ボタンが表示されていても良い。ステップＳ１１０２では画像処理部１７０は、拡大表示が選択された場合、拡大表示指示がなされたものとする。
【００６５】
ステップＳ１１０２において拡大表指示がされるとステップＳ１１０３へ進み、画像処理部１７０は、拡大処理部１７１により地図情報１１２の縮尺を大きくして地図情報１１２を拡大する処理を行う。表示制御部１２０は、拡大された地図情報１１２を操作表示装置１３へ表示させる。
【００６６】
ステップＳ１１０２において拡大表示指示がされていない場合、画像処理部１７０はステップＳ１１０４へ進み、縮小表示指示がなされたか否かを判断する。ステップＳ１１０４において画像処理部１７０は、縮小表示が選択された場合、縮小表示指示がなされたものとする。
【００６７】
ステップＳ１１０４において縮小表示指示がされるとステップＳ１１０５へ進み、画像処理部１７０は、縮小処理部１７２により地図情報１１２の縮尺を小さくして地図情報１１２を縮小する処理を行う。表示制御部１２０は、縮小された地図情報１１２を操作表示装置１３へ表示させる。
【００６８】
ステップＳ１１０４において縮小表示指示がされない場合、ステップＳ１１０６へ進む。ステップＳ１１０６において送信制御部１５５は、送信指示ボタン４３により送信指示がなされたか否かを判断する。送信制御部１５５は、ステップＳ１１０６において送信指示がなされると、ステップＳ１１０７へ進み、データを送信してＦＡＸ送信処理を終了する。また送信制御部１５５は、ステップＳ１１０６において送信指示がされないと、データを送信しない。送信指示がされない場合は、ステップＳ１１０２からの処理を繰り返す。
【００６９】
このように本実施形態では、操作表示装置１３に表示さたれ地図情報の拡大表示及び縮小表示を行うことができる。
【００７０】
次に図１２を参照して本実施形態の地図情報取得部１５０による地図情報の取得処理を説明する。図１２は、第一の実施形態の地図情報取得部１５０による地図情報の取得処理を説明するフローチャートである。
【００７１】
地図情報取得部１５０は、ＦＡＸ番号１１１に対応する地図情報１１２が存在する場合、ステップＳ１２０１へ進み、送信先の通信端末の緯度と経度が存在するか否かを判断する。ここでの緯度と経度とは、送信先の通信端末に割り当てられているＦＡＸ番号１１１に対応する座標情報である。
【００７２】
ステップＳ１２０１において、送信先の通信端末に緯度と経度が割り当てられている場合ステップＳ１２０２へ進み、地図情報取得部１５０は送信先の通信端末に割り当てられた緯度と経度とを取得する。ステップＳ１２０２に続いてステップＳ１２０３へ進み、地図情報取得部１５０は、データ通信装置１００に緯度と経度が割り当てられているか否かを判断する。ステップＳ１２０３においてデータ通信装置１００に緯度と経度が割り当てられていた場合、イス１２０４へ進み、地図情報取得部１５０はデータ通信装置１００に割り当てられた緯度と経度とを取得する。
【００７３】
ステップＳ１２０４に続いてステップＳ１２０５へ進み、地図情報取得部１５０は、ステップＳ１２０２で取得した緯度と経度及びステップＳ１２０４で取得した緯度と経度とに基づき、送信先の通信端末とデータ通信装置１００との間の距離を算出する。ステップＳ１２０５に続いてステップＳ１２０６へ進み、地図情報取得部１５０は、距離と縮尺を対応付けたテーブルである距離テーブルを参照する。
【００７４】
以下に距離テーブルについて説明する。
【００７５】
本実施形態のデータベース１１０には、距離と縮尺とを対応付けたテーブルである距離テーブル６０が格納されているものとした。図１３に距離テーブル６０の一例を示す。距離テーブル６０では、例えば距離が１０ｋｍのときの縮尺、距離が１００ｋｍのときの縮尺、といった具合に距離と縮尺とが対応付けられて格納されている。
【００７６】
図１２に戻って、ステップＳ１２０６において地図情報取得部１５０は距離テーブル６０を参照し、ステップＳ１２０５で算出した距離と対応した縮尺を決定する。ステップＳ１２０６に続いてステップＳ１２０７へ進み、地図情報取得部１５０は、決定された縮尺の地図情報を取得する。表示制御部１２０は、取得された地図情報を操作表示装置１３に表示させる。
【００７７】
尚ステップＳ１２０１及びステップＳ１２０３において、送信先の通信端末とデータ通信装置１００の両方または何れか一方に緯度と経度とが割り当てられていない場合、ステップＳ１２０８へ進み、地図情報取得部１５０は初期設定としてメモリ装置１４等に記憶されているデフォルトの縮尺の地図情報を取得するものとした。
【００７８】
このように本実施形態では、送信先の通信端末とデータ通信装置１００との距離を算出して地図情報の縮尺を決定する。よって本実施形態によれば、表示される地図情報において確実に送信先の位置を示すことができる。
【００７９】
次に図１４を参照して本実施形態における地図情報の格納について説明する。図１４は、第一の実施形態における地図情報の格納を説明するフローチャートである。本実施形態では、データベース１１０にＦＡＸ番号と地図情報とを対応付けて格納することができる。
【００８０】
図１４に示す例では、ＦＡＸ番号と地図情報とが郵便番号により関連付けられており、郵便番号がＦＡＸ番号と地図情報とを関連付ける関連情報である。図１４に示す例では、郵便番号に基づき取得された地図情報と、ＦＡＸ番号とを対応付けてデータベース１１０へ格納する。
【００８１】
図１４のステップＳ１４０１とステップＳ１４０２の処理は、図３のステップＳ３０１とステップＳ３０２の処理と同様である。
【００８２】
ステップＳ１４０３において、ＦＡＸ番号１１１が入力されおり且つ地図情報の格納指示がなされるとステップＳ１４０４へ進み、表示制御部１２０は、操作表示装置１３に地図情報入力画面を表示させる。尚操作表示装置１３には、地図情報の格納指示を出すための操作ボタンなどが表示されていても良い。
【００８３】
ここで図１５に、操作表示装置１３に地図情報入力画面が表示された例を示す。地図情報入力画面には、入力されたＦＡＸ番号１１１が表示される領域、地図情報１１２が表示される領域、郵便番号１１３Ａが入力される領域、地図情報の格納を確定させる格納指示ボタン４６とが表示される。また本実施形態の地図情報入力画面では、地図情報１１２の表示を移動させるカーソルキー４８が表示される。表示制御部１２０は、カーソルキー４８により示された方向に、地図情報１１２を移動させることができる。
【００８４】
図１４へ戻って、ステップＳ１４０５において地図情報入力画面に郵便番号１１３Ａが入力されると、ステップＳ１４０６へ進み、検索部１４０は入力された郵便番号１１３Ａを検索キーとして、郵便番号１１３Ａに対応した地域の地図情報をデータベース１１０内から検索する。地図情報取得部１５０は、検索された地図情報を取得し、表示制御部１２０は取得された地図情報を表示させる。
【００８５】
ステップＳ１４０６に続いてステップＳ１４０７へ進み、操作表示装置１３においてカーソルキー４８が操作されるとステップＳ１４０８に進む。ステップＳ１４０８において表示制御部１２０は、カーソルキーで指定された方向に地図情報１１２を移動させて、表示される地図情報１１２の範囲を変更する。
【００８６】
ステップＳ１４０８に続いてステップＳ１４０９へ進み、情報格納部１６０は、地図情報入力画面に表示されている格納指示ボタン４６が押下されると、ステップＳ１４１０へ進み、ＦＡＸ番号１１１と、ステップＳ１４０９の時点で表示されている地図情報１１２とを対応付けてデータベース１１０に格納する。
【００８７】
このように本実施形態では、例えばデータベース１１０に格納されていないＦＡＸ番号や地図情報でも、ＦＡＸ番号と地図情報とを対応付けてデータベース１１０に格納することができる。
【００８８】
以上に説明したように、本実施形態によれば、データの誤送信の防止を効率的に行うことが可能なデータ通信装置を提供することができる。
（第二の実施形態）
以下に図面を参照して本発明の第二の実施形態について説明する。第二の実施形態では、地図情報の代わりに送信先情報であるＦＡＸ番号がネットワーク上に公開されているか否かを表示させる点で第一の実施形態と相違する。よって以下の説明では、第一の実施形態との相違点についてのみ説明し、第一の実施形態と同様の機能構成を有するものには第一の実施形態の説明で用いた符号と同様の符号を付与し、その説明を省略する。
【００８９】
図１６は、第二の実施形態のデータ通信装置１００Ａの機能構成を説明する図である。本実施形態のデータ通信装置１００Ａのデータベース１１０Ａは、ファクシミリ番号１１１（以下、ＦＡＸ番号）、属性情報１１３とが対応付けられて格納されている。尚本実施形態のデータ通信装置１００Ａには、第一の実施形態で説明した地図情報１１２が格納されたデータベース１１０を適用しても良い。
【００９０】
また本実施形態のデータ通信装置１００Ａは、第一の実施形態のデータ通信装置１００の有する地図情報取得部１５０の代わりに、送信先情報であるＦＡＸ番号と一致する情報を取得する情報取得部１５０Ａを有する。また本実施形態のデータ通信装置１００Ａの有する検索部１４０Ａは、送信先情報であるＦＡＸ番号と一致する情報を検索する。
【００９１】
図１７を参照して本実施形態におけるデータ通信装置１００の動作について説明する。図１７は、第二の実施形態におけるデータ通信装置１００の動作を説明する第一のフローチャートである。
【００９２】
図１７のステップＳ１７０１からステップＳ１７０４までの処理は、図５のステップＳ５０１からステップＳ５０４までの処理と同様である。ステップＳ１７０４に続いてステップＳ１１６０５に進み、検索部１４０は、入力情報取得部１３０が取得したＦＡＸ番号と同一の番号を検索キーとして、外部装置３００内を検索する。ステップＳ１７０５に続いてステップＳ１７０６へ進み、検索の結果、ＦＡＸ番号と同一の番号が存在しない場合、ステップＳ１７０７へ進む。この場合、ＦＡＸ番号と同一の番号が外部装置３００に存在しないことからＦＡＸ番号は外部に公開されていないものとし、ステップＳ１７０７において表示制御部１２０は、ＦＡＸ番号が公開されていない旨を示すメッセージを操作表示装置１３に表示させる。
【００９３】
ステップＳ１７０６においてＦＡＸ番号と同一の番号が存在する場合、ＦＡＸ番号が外部に公開されるものとし、ステップＳ１７０８へ進み表示制御部１２０は、ＦＡＸ番号が公開されている旨のメッセージを操作表示装置１３へ表示させる。ステップＳ１７０９とステップＳ１７１０の処理は、図５のステップＳ５０９とステップＳ５１０の処理と同様である。
【００９４】
このように本実施形態によれば、ＦＡＸ番号がネットワーク２００を介して外部に公開されているか否かを表示させる。よって送信者は、この表示に基づき送信先をイメージすることができる。例えば送信先が個人宅に設定されたファクシミリ装置であった場合には、ＦＡＸ番号が公開されていない。よって送信者、ＦＡＸ番号が公開されている旨の表示を見て、誤送信に気がつくことができる。このように本実施形態によれば、送信者が送信先をイメージしやすくすることができ、データの誤送信の防止を効率的に行うことができる。
【００９５】
次に図１８を参照して本実施形態における別の動作を説明する。図１８は、第二の実施形態におけるデータ通信装置１００の動作を説明する第二のフローチャートである。
【００９６】
図１８に示す例では、ＦＡＸ番号の代わりに送信先の電話番号が入力され、この電話番号からＦＡＸ番号を検索する。
【００９７】
ステップＳ１８０１において、データ通信装置１００は、送信先の電話番号が入力されたか否かを判断する。ステップＳ１８０１において電話番号が入力されていた場合、入力情報取得部１３０はこの電話番号を取得し、ステップＳ１８０２へ進む。ステップＳ１８０２において表示制御部１２０は、取得された電話番号を操作表示装置１３に表示させる。ステップＳ１８０２に続いてステップＳ１８０３へ進み、検索部１４０は、検索開始を示すスタートキーによる検索開始指示と電話番号の両方が入力されているか否か判断する。
【００９８】
ステップＳ１８０３において、電話番号が入力されており、かつスタートキーによる検索開始指示が入力された場合、ステップＳ１８０４へ進み、データ通信装置１００はインターネットＩ／Ｆ装置１８を介してネットワーク２００を介して外部装置３００と接続される。ステップＳ１８０４に続いてステップＳ１８０５へ進み、データ通信装置１００が外部装置３００と接続されると、検索部１４０は外部装置３００において、入力情報取得部１３０により取得された電話番号を検索キーとして、この電話番号に対応するＦＡＸ番号の検索処理を実行する。
【００９９】
ステップＳ１８０５で検索処理が開始されるとステップＳ１８０６へ進み、該当するＦＡＸ番号が取得できた場合、ステップＳ１８０７へ進む。ステップＳ１８０７において表示制御部１２０は、取得したＦＡＸ番号を操作表示装置１３へ表示させる。ステップＳ１８０８とステップＳ１８０９の処理は図５のステップＳ５０９とステップＳ５１０と同様である。
【０１００】
ステップＳ１８０６において該当するＦＡＸ番号が取得できない場合、ステップＳ１８１０へ進む。ステップＳ１８１０において表示制御部１２０は、該当するＦＡＸ番号が取得できなかった旨を操作表示装置１３へ表示させる。ステップＳ１８１０に続いてステップＳ１８１１へ進み、ＦＡＸ送信の中止指示を出すストップキーが押された場合ステップＳ１８１２へ進む。ステップＳ１８１２において表示制御部１２０は操作表示装置１３に待機画面を表示させてＦＡＸ送信処理を終了する。
【０１０１】
このように本実施形態によれば、図１８に示した例に加えてさらに、電話番号から送信先情報であるＦＡＸ番号を取得することができる。よってＦＡＸ番号を検索する手間を省くことができる。
【０１０２】
以上に説明したように、本実施形態によれば、ＦＡＸ番号がネットワーク２００を介して外部に公開されているか否かを表示させる。よって送信者は、この表示に基づき送信先をイメージすることができ、データの誤送信の防止を効率的に行うことができる。
【０１０３】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【図面の簡単な説明】
【０１０４】
【図１】本発明のデータ通信装置１００のハードウェア構成図の一例を示す図である。
【図２】第一の実施形態のデータ通信装置１００の機能構成を説明する図である。
【図３】第一の実施形態のデータ通信装置１００の動作を説明する第一のフローチャートである。
【図４】ＦＡＸ番号、地図情報、送信指示ボタンとが操作表示装置１３に表示された例を示す図である。
【図５】第一の実施形態のデータ通信装置１００の動作を説明する第二のフローチャートである。
【図６】第一の実施形態のデータ通信装置１００の動作を説明する第三のフローチャートである。
【図７】第一の実施形態のデータ通信装置１００の動作を説明する第四のフローチャートである。
【図８】ＦＡＸ番号、地図情報、属性情報、送信指示ボタンとが操作表示装置１３に表示された例を示す図である。
【図９】第一の実施形態のデータ通信装置１００の動作を説明する第五のフローチャートである。
【図１０】地域テーブル５０の例を示す図である。
【図１１】第一の実施形態のデータ通信装置１００の動作を説明する第六のフローチャートである。
【図１２】第一の実施形態の地図情報取得部１５０による地図情報の取得処理を説明するフローチャートである。
【図１３】距離テーブル６０の一例を示す図である。
【図１４】第一の実施形態における地図情報の格納を説明するフローチャートである。
【図１５】操作表示装置１３に地図情報入力画面が表示された例を示す図である。
【図１６】第二の実施形態のデータ通信装置１００Ａの機能構成を説明する図である。
【図１７】第二の実施形態におけるデータ通信装置１００の動作を説明する第一のフローチャートである。
【図１８】第二の実施形態におけるデータ通信装置１００の動作を説明する第二のフローチャートである。
【符号の説明】
【０１０５】
１３  操作表示装置
１００、１００Ａ  データ通信装置
１１０、１１０Ａ  データベース
１２０  表示制御部
１３０  入力情報取得部
１４０、１４０Ａ  検索部
１５０  地図情報取得部
１５０Ａ  情報取得部
１５５  送信制御部
１６０  情報格納部
２００  ネットワーク
３００  外部装置
【図１】
2009005314.tif 000003
【図２】
2009005314.tif 000004
【図３】
2009005314.tif 000005
【図４】
2009005314.tif 000006
【図５】
2009005314.tif 000007
【図６】
2009005314.tif 000008
【図７】
2009005314.tif 000009
【図８】
2009005314.tif 000010
【図９】
2009005314.tif 000011
【図１０】
2009005314.tif 000012
【図１１】
2009005314.tif 000013
【図１２】
2009005314.tif 000014
【図１３】
2009005314.tif 000015
【図１４】
2009005314.tif 000016
【図１５】
2009005314.tif 000017
【図１６】
2009005314.tif 000018
【図１７】
2009005314.tif 000019
【図１８】
2009005314.tif 000020